(57)【要約】【課題】ネットワーク検出及び選択情報とトラフィック経路指定情報を更新する方法を提供する。【解決手段】無線通信システムにおける通信装置のためのネットワーク検出及び選択情報とトラフィック経路指定情報を更新する方法が開示される。当該方法は、アクセス層手順、ハンドオーバ手順、エリア更新手順、アタッチ手順、又は、セル選択手順及びセル再選択手順によりネットワーク検出及び選択情報とトラフィック経路指定情報を更新する段階を含む。【選択図】図７
2015192453.tif 000002
【特許請求の範囲】
【請求項１】
無線通信システムにおける通信装置のためのネットワーク検出及び選択情報とトラフィック経路指定情報を更新する方法であって、当該方法が、
アクセス層手順、ハンドオーバ手順、エリア更新手順、アタッチ手順、又は、セル選択手順及びセル再選択手順により前記ネットワーク検出及び選択情報とトラフィック経路指定情報を更新する段階を含む、方法。
【請求項２】
前記アクセス層手順により前記ネットワーク検出及び選択情報とトラフィック経路指定情報を更新する前記段階が、
前記無線通信システムのネットワークから前記ネットワーク検出及び選択情報とトラフィック経路指定情報を含む更新メッセージを受信する段階を含む、請求項１に記載の方法。
【請求項３】
前記更新メッセージが、無線リソース制御（ＲＲＣ）接続再構成、測定制御、ページング、又はシステム情報ブロック（ＳＩＢ）である、請求項２に記載の方法。
【請求項４】
前記ハンドオーバ手順により前記ネットワーク検出及び選択情報とトラフィック経路指定情報を更新する前記段階が、
前記無線通信システムのソースネットワークから、前記ソースネットワークから前記無線通信システムのターゲットネットワークへのハンドオーバのための前記ハンドオーバ手順の間に、前記ネットワーク検出及び選択情報とトラフィック経路指定情報を含むネットワーク変更命令を受信する段階を含む、請求項１に記載の方法。
【請求項５】
前記ネットワーク変更命令が、無線リソース制御（ＲＲＣ）接続再構成である、請求項４に記載の方法。
【請求項６】
前記エリア更新手順により前記ネットワーク検出及び選択情報とトラフィック経路指定情報を更新する前記段階が、
前記無線通信システムのネットワークにサービス領域変更要求メッセージを送信する段階と、
前記ネットワークから前記ネットワーク検出及び選択情報とトラフィック経路指定情報を含むサービス領域変更承認メッセージを受信する段階とを含む、請求項１に記載の方法。
【請求項７】
前記アタッチ手順により前記ネットワーク検出及び選択情報とトラフィック経路指定情報を更新する前記段階が、
前記無線通信システムのネットワークに交信要求メッセージを送信する段階と、
前記ネットワークから前記ネットワーク検出及び選択情報とトラフィック経路指定情報を含む接続再構成メッセージを受信する段階とを含む、請求項１に記載の方法。
【請求項８】
前記ネットワーク検出及び選択情報とトラフィック経路指定情報が、ラジオアクセスネットワーク（ＲＡＮ）規則のうちの少なくとも１つ、又はＲＡＮ支援情報のうちの少なくとも１つを含み、前記ＲＡＮ支援情報が、１つ若しくは複数のパラメータ、又は、それぞれが特定のパラメータ又は１つ若しくは複数のＲＡＮ規則に対応する１つ若しくは複数の数値を含む、請求項１、２、４、６、又は７に記載の方法。
【請求項９】
前記ＲＡＮ規則及び前記ＲＡＮ支援情報を保存する段階を更に含む、請求項８に記載の方法。
【請求項１０】
前記ＲＡＮ規則及び前記ＲＡＮ支援情報に対して少なくとも数値を適用する段階を更に含む、請求項９に記載の方法。
【請求項１１】
無線通信システムにおけるネットワークのためのネットワーク検出及び選択情報とトラフィック経路指定情報を更新する方法であって、当該方法が、
アクセス層手順、ハンドオーバ手順、エリア更新手順、アタッチ手順、又は、セル選択手順及びセル再選択手順により前記ネットワーク検出及び選択情報とトラフィック経路指定情報を更新する段階を含む、方法。
【請求項１２】
前記ネットワークがアクセスネットワークであり、前記アクセス層手順により前記ネットワーク検出及び選択情報とトラフィック経路指定情報を更新する前記段階が、
通信装置から、又は残りのアクセスノードから、又は前記無線通信システムから、前記無線通信システムの前記ネットワーク検出及び選択情報とトラフィック経路指定情報を更新するためのメッセージを受信する段階と、
前記通信装置に前記ネットワーク検出及び選択情報とトラフィック経路指定情報を含む更新メッセージを送信する段階を含む、請求項１１に記載の方法。
【請求項１３】
前記メッセージを前記無線通信システムのサーバネットワークに送信する段階と、
前記サーバネットワークから前記ネットワーク検出及び選択情報とトラフィック経路指定情報を含む前記更新メッセージを受信する段階とを更に含む、請求項１２に記載の方法。
【請求項１４】
前記メッセージが、無線リソース制御（ＲＲＣ）接続要求、ＲＲＣ接続設定完了、又は通信装置能力情報である、請求項１２又は１３に記載の方法。
【請求項１５】
前記更新メッセージが、無線リソース制御（ＲＲＣ）接続再構成、測定制御、ページング、又はシステム情報ブロック（ＳＩＢ）である、請求項１２に記載の方法。
【請求項１６】
前記アクセス層手順により前記ネットワーク検出及び選択情報とトラフィック経路指定情報を更新する前記段階が、
前記無線通信システムの通信装置に前記ネットワーク検出及び選択情報とトラフィック経路指定情報を含むプッシュメッセージを送信する段階を含む、請求項１１に記載の方法。
【請求項１７】
前記ネットワークがソースネットワークであり、前記ハンドオーバ手順により前記ネットワーク検出及び選択情報とトラフィック経路指定情報を更新する前記段階が、
前記無線通信システムの通信装置が前記ソースネットワークから前記無線通信システムのターゲットネットワークにハンドオーバする間に、前記通信装置に前記ネットワーク検出及び選択情報とトラフィック経路指定情報を含むネットワーク変更命令を送信する段階を含む、請求項１１に記載の方法。
【請求項１８】
前記ソースネットワークと前記ターゲットネットワークの両方を供給する前記無線通信システムのアンカーノードにネットワーク変更被要求メッセージを送信する段階と、
前記アンカーノードから前記ネットワーク変更命令を受信する段階とを更に含む、請求項１７に記載の方法。
【請求項１９】
前記ソースネットワークを供給するがしかし前記ターゲットネットワークを供給しない前記無線通信システムのソースアンカーノードにネットワーク変更被要求メッセージを送信する段階と、
前記アンカーノードから前記ネットワーク変更命令を受信する段階とを更に含む、請求項１７に記載の方法。
【請求項２０】
前記アンカーノードから前記ネットワーク検出及び選択情報とトラフィック経路指定情報を含む前記ネットワーク変更命令を受信する段階を更に含む、請求項１８又は１９に記載の方法。
【請求項２１】
ネットワークピア変更要求メッセージを前記ターゲットネットワークに送信する段階と、
前記ターゲットネットワークから前記ネットワーク検出及び選択情報とトラフィック経路指定情報を含むネットワークピア変更要求肯定応答メッセージを受信する段階とを更に含む、請求項１７に記載の方法。
【請求項２２】
前記ネットワークがアクセスネットワークであり、前記エリア更新手順により前記ネットワーク検出及び選択情報とトラフィック経路指定情報を更新する前記段階が、
前記無線通信システムの通信装置に前記ネットワーク検出及び選択情報とトラフィック経路指定情報を含むサービス領域変更承認メッセージを送信する段階を含む、請求項１１に記載の方法。
【請求項２３】
前記ネットワークがアクセスネットワークであり、前記アタッチ手順により前記ネットワーク検出及び選択情報とトラフィック経路指定情報を更新する前記段階が、
前記無線通信システムの通信装置に前記ネットワーク検出及び選択情報とトラフィック経路指定情報を含む接続再構成メッセージを送信する段階を含む、請求項１１に記載の方法。
【請求項２４】
前記ネットワーク検出及び選択情報とトラフィック経路指定情報が、ラジオアクセスネットワーク（ＲＡＮ）規則及びＲＡＮ支援情報のうちの少なくとも１つを含み、前記ＲＡＮ支援情報が、パラメータ、又は、それぞれがパラメータ若しくはＲＡＮ規則に対応する数値を含む、請求項１１、１２、１６、１７、２０、２１、２２、又は２３に記載の方法。
【請求項２５】
前記ＲＡＮ支援情報が、番号により識別されるパラメータと、それぞれがパラメータ、及び番号により識別されるゼロ個以上のＲＡＮ規則に対応する数値とを含む、請求項２４に記載の方法。
【発明の詳細な説明】
【技術分野】
【０００１】
本発明は、無線通信システムにおける通信装置で使用される方法に関し、より詳細には、ネットワーク検出及び選択情報とトラフィック経路指定情報を更新する方法に関する。
【背景技術】
【０００２】
３ＧＰＰは、リリース１１において、アクセスネットワークディスカバリ及び選択機能（Access  Network  Discovery  and  Selection  Function：ＡＮＤＳＦ）管理オブジェクト（Management  Object：ＭＯ）を提案する。ＡＮＤＳＦ  ＭＯは、オペレータの方針の通りのアクセスネットワーク（例えば無線ローカルエリアネットワーク（ＷＬＡＮ））ディスカバリ及び選択支援データを提供するネットワーク要素であるＡＮＤＳＦからのアクセスネットワークディスカバリ情報のプロビジョニングをサポートするユーザ装置（ＵＥ）に保存されるアクセスネットワークディスカバリ情報に加えて、さらにシステム間モビリティポリシー（Inter-System  Mobility  Policy：ＩＳＭＰ）及びシステム間ルーティングポリシー（Inter-System  Routing  Policy：ＩＳＲＰ）を管理するために提案される。要するに、ＡＮＤＳＦは、アクセスネットワークを選択することによってＵＥを支援するためのトラフィック経路指定情報、又はシステム間変更を実行することによってＵＥを制御及び支援するための、若しくはＩＰトラフィックをどのように送るかを決定することによってＵＥを支援するためのシステム間モビリティポリシー、又は言及された上記の全てに加えて、さらにアクセスネットワークディスカバリ及び選択情報を含む情報を提供する。この情報は、ＵＥが複数のアクセスを通じてＥＰＣに接続する能力がない場合にアクセスネットワークに優先順位をつけるＩＳＭＰ、及びＵＥが複数のアクセスを通じてＥＰＣに接続する能力がある場合にどのように利用可能なアクセスの間でトラフィックを分散するかを示すＩＳＰＲを同様に含み、一方アクセスネットワークディスカバリ及び選択情報は、ＵＥに対して、ＩＳＭＰにおいて、又はＩＳＲＰにおいて、又はアクセスネットワークディスカバリ情報において定義されたアクセスネットワークにアクセスするための更なる情報を提供する。
【発明の概要】
【発明が解決しようとする課題】
【０００３】
図１は、従来技術によるＡＮＤＳＦの動作を例示する。公衆移動通信網（Public  Land  Mobile  Network：ＰＬＭＮ）のＡＮＤＳＦは、ＵＥに対して、好ましいサービスセット識別子（ＳＳＩＤ）を示すＡＮＤＳＦ  ＭＯを、ＷＬＡＮ又はＳＳＩＤの優先順位を識別するために送信する。ＵＥは、ＵＥ内に保持されたＡＮＤＳＦ  ＭＯから獲得された情報（すなわち、ＳＳＩＤ）に従って、ＷＬＡＮを使用するかどうかを決定する。例えば、ＵＥがＷＬＡＮのサービス適用範囲に移動する場合に、ＵＥは、ＷＬＡＮアクセスポイント（ＡＰ）により送信されたＳＳＩＤによってＷＬＡＮの存在に気付くことができるであろう。もし送信されたＳＳＩＤがＡＮＤＳＦ  ＭＯで示されたＳＳＩＤであるならば、ＵＥは、ＷＬＡＮを選択する。ＡＮＤＳＦ  ＭＯを介して、又はＵＥに事前設定されて、（ＩＳＲＰ／ＩＳＭＰを含む）ＡＮＤＳＦ規則がＵＥに対して提供され得ることに、留意するべきである。
【０００４】
図２は、ＲＡＮ支援情報をサポートするＡＮＤＳＦ規則を例示する。ｅＮＢは、ＲＡＮ支援情報をＵＥに対して提供し、ここでＲＡＮ支援情報は、threshRsrpLow＝−９０ｄＢｍ、threshRsrpHigh＝−８０ｄｂｍ、threshRsrqLow＝３ｄＢ、threshRsrqHigh＝４ｄＢなどのようなパラメータ及び／又は数値を含む。ＵＥは、ＡＮＤＳＦ  ＭＯを介して獲得される、又は現存するＯＭＡ−ＤＭメカニズムを介して獲得される、又はＵＥに事前設定される（ＩＡＲＰ規則、ＩＳＭＰ規則、ＩＳＲＰ規則などを含む）ＡＮＤＳＦ規則に対して、ＲＡＮ支援情報の特定のパラメータに関連付けられた数値に加えて、さらにパラメータを適用する。要するに、ＵＥがＲＡＮ支援情報を受信する場合に、この情報は、供給されたＡＮＤＳＦ規則を評価するために考慮に入れられる。
【０００５】
しかしながら、ＵＥがサービングＲＡＮアクセスノード（例えばサービングｅＮＢ）を変更する場合に、ＲＡＮ支援情報は異なり得るか、又は無効であり得るであろう。さらに、装置がサービングＰＬＭＮ又はサービングＲＡＮアクセスノードを変更する場合に、ＲＡＮ規則は異なり得るであろう。細部にわたって、図３は、ＡＮＤＳＦの動作をサポートするＵＥがソースセルからターゲットセルに移動することを例示する。ソースセルとターゲットセルが異なるＰＬＭＮに属する場合、ＵＥのモビリティは、ＰＬＭＮの変更を同様にもたらし得る。したがって、本出願人は、ＲＡＮ規則及びＲＡＮ支援情報をＵＥに対して提供するとともに更新するために、メカニズムが必要とされるということに注目する。
【０００６】
さらに、ＲＡＮ支援情報は、ＲＡＮ状態を反映するために頻繁に更新され得るであろうか、又はＲＡＮ規則は、更に良いユーザ体験及び負荷バランシングのために効率よくＵＥに対して更新されるべきである。しかしながら、ＲＡＮ支援情報又はＲＡＮ規則の更新は重荷となり、したがってＲＡＮ支援情報又はＲＡＮ規則の配信は多くの無線通信資源を消費し得るであろう。それ故に、アクセスノードからＵＥに対して送信される削減された量のデータを提供するために、メカニズムが必要とされる。
【課題を解決するための手段】
【０００７】
本出願は、上記の問題を解決するために、ネットワーク検出及び選択情報とトラフィック経路指定情報を更新する方法を提供することを目指す。
【０００８】
これは、請求項１及び請求項１１によるネットワーク検出及び選択情報とトラフィック経路指定情報を更新する方法によって達成される。従属請求項は、対応する更なる発展及び改善に関連する。
【０００９】
下記に続く詳細な説明から更に明瞭に理解されることになるように、無線通信システムにおけるネットワーク検出及び選択情報とトラフィック経路指定情報を更新する、請求項に記載の方法は、アクセス層手順、ハンドオーバ手順、エリア更新手順、アタッチ手順、又は、セル選択手順若しくはセル再選択手順によりネットワーク検出及び選択情報とトラフィック経路指定情報を更新する段階を含む。
【図面の簡単な説明】
【００１０】
【図１】従来技術によるＡＮＤＳＦの動作の概略図である。
【図２】ＲＡＮ支援情報をサポートするＡＮＤＳＦ規則の概略図である。
【図３】拡張されたＡＮＤＳＦの動作をサポートするＵＥのハンドオーバ手順の概略図である。
【図４】無線通信システムの概略図である。
【図５】代表的な通信装置の概略図である。
【図６】拡張されたＡＮＤＳＦの動作の概略図である。
【図７】本開示による代表的な処理のフローチャートである。
【図８】ＲＡＮ情報更新のためのアクセス層手順のメッセージフローの概略図である。
【図９】ＲＡＮ情報更新のためのアクセス層手順のメッセージフローの概略図である。
【図１０】ＲＡＮ情報更新のためのアクセス層手順のメッセージフローの概略図である。
【図１１】ＲＡＮ情報更新のためのアクセス層手順のメッセージフローの概略図である。
【図１２】ＲＡＮ情報更新のためのアクセス層手順のメッセージフローの概略図である。
【図１３】ＲＡＮ情報更新のためのハンドオーバ手順のメッセージフローの概略図である。
【図１４】ＲＡＮ情報更新のためのハンドオーバ手順のメッセージフローの概略図である。
【図１５】ＲＡＮ情報更新のためのハンドオーバ手順のメッセージフローの概略図である。
【図１６】ＲＡＮ情報更新のためのハンドオーバ手順のメッセージフローの概略図である。
【図１７】ＲＡＮ情報更新のためのハンドオーバ手順のメッセージフローの概略図である。
【図１８】ＲＡＮ情報更新のためのハンドオーバ手順のメッセージフローの概略図である。
【図１９】ＲＡＮ情報更新のためのハンドオーバ手順のメッセージフローの概略図である。
【図２０】ＲＡＮ情報更新のためのハンドオーバ手順のメッセージフローの概略図である。
【図２１】ＲＡＮ情報更新のためのハンドオーバ手順のメッセージフローの概略図である。
【図２２】ＲＡＮ情報更新のためのハンドオーバ手順のメッセージフローの概略図である。
【図２３】ＲＡＮ情報更新のためのハンドオーバ手順のメッセージフローの概略図である。
【図２４】ＲＡＮ情報更新のためのハンドオーバ手順のメッセージフローの概略図である。
【図２５】ＲＡＮ情報更新のためのエリア更新手順のメッセージフローの概略図である。
【図２６】ＲＡＮ情報更新のためのエリア更新手順のメッセージフローの概略図である。
【図２７】ＲＡＮ情報更新のためのアタッチ手順のメッセージフローの概略図である。
【図２８】ＲＡＮ情報更新のためのアタッチ手順のメッセージフローの概略図である。
【図２９】本開示によるＲＡＮ情報の構成の概略図である。
【図３０】本開示によるＲＡＮ情報の構成の概略図である。
【図３１】本開示によるＲＡＮ情報の構成の概略図である。
【図３２】本開示によるＲＡＮ情報の構成の概略図である。
【図３３】本開示によるＲＡＮ情報の構成の概略図である。
【図３４】本開示によるＲＡＮ情報の構成の概略図である。
【図３５】本開示によるＲＡＮ情報の構成の概略図である。
【図３６】本開示によるＲＡＮ情報の構成の概略図である。
【図３７】本開示によるＲＡＮ情報の構成の概略図である。
【図３８】本開示によるＲＡＮ情報更新動作の概略図である。
【図３９】本開示によるＲＡＮ情報更新動作の概略図である。
【図４０】本開示によるＲＡＮ情報更新動作の概略図である。
【図４１】いくつかの代表的な実施例の概略図である。
【図４２】いくつかの代表的な実施例の概略図である。
【発明を実施するための形態】
【００１１】
図４は、無線通信システムの概略図である。無線通信システムは、ＬＴＥシステム又は他の移動通信システムであり、そして手短に言えば、ＰＬＭＮの少なくとも装置（すなわち、ＵＥ）、アクセスノード（すなわち、ｅＮＢ）、アンカーノード（すなわち、ＭＭＥ）、及びサーバノード（すなわち、ＡＮＤＳＦ／ＯＡＭサーバ）から構成される。図４は、ＵＥ、ｅＮＢ、ＭＭＥ、及びＡＮＤＳＦサーバの数がここでは限定されない無線通信システムの構造を例示するために利用される。ＵＥは、携帯電話、コンピュータシステム、機械式装置（machine type device）などのような装置であり得る。さらに、ネットワークノード及びＵＥは、伝送方向に応じて、送信器機又は受信器と見なされることができ、例えば、アップリンク（ＵＬ）に関して、ＵＥは送信器であり、そしてネットワークノードは受信器であるとともに、ダウンリンク（ＤＬ）に関して、ネットワークノードは送信器であり、そしてＵＥは受信器である。
【００１２】
図５は、代表的な通信装置５０の概略図を例示する。通信装置５０は、図４において示された装置又はネットワークノードであり得る。通信装置５０は、マイクロプロセッサ又は特定用途向け集積回路（ＡＳＩＣ）のような処理手段５００、記憶装置５１０、及び通信インタフェースユニット５２０を含み得る。記憶装置５１０は、処理手段５００によるアクセスのために、プログラムコード５１４を記憶することができるあらゆるデータ記憶装置であり得る。記憶装置５１０の実例は、加入者識別モジュール（ＳＩＭ）、読み出し専用メモリ（ＲＯＭ）、フラッシュメモリ、ランダムアクセスメモリ（ＲＡＭ）、ＣＤ−ＲＯＭ、磁気テープ、ハードディスク、及び光学データ記憶装置を含むが、しかしそれらに限定されない。通信インタフェースユニット５２０は、好ましくは無線送受信機であり、そして、処理手段５００の処理結果に従ってネットワークノードと無線信号を取り交わすことができる。
【００１３】
図６は、本発明による拡張されたＡＮＤＳＦの動作を例示する。図１の昔のＡＮＤＳＦの動作と比べると、拡張されたＡＮＤＳＦ（ｅＡＮＤＳＦ）の動作は、ＵＥのためのネットワークディスカバリ及び選択の効率を拡張するために、ＲＡＮ（Radio  Access  Network：無線アクセスネットワーク）支援情報、及びＲＡＮ規則を含む。ＲＡＮ支援情報、及びＲＡＮ規則は、現在のＲＡＮ状況（すなわち、無線通信状態、利用可能な帯域幅など）を反映する、ＲＡＮ要素（例えば、ｅＮＢ）によって提供される情報である。ＲＡＮ規則は、ＲＡＮ要素によって与えられ、そしてＲＡＮ支援情報を利用する規則である。
【００１４】
図７は、本開示の実例による処理７０のフローチャートである。処理７０は、ネットワーク検出及び選択情報とトラフィック経路指定情報を更新するために、図６のＵＥ、ｅＮＢ、ＭＭＥ、又はＡＮＤＳＦサーバにおいて利用される。処理７０は、記憶装置５１０に記憶されるように、プログラムコード５１４にコンパイルされ得るとともに、下記のステップを含み得る。
【００１５】
ステップ７００：開始。
【００１６】
ステップ７１０：アクセス層手順、ハンドオーバ手順、エリア更新手順、アタッチ手順、又は、セル選択手順若しくはセル再選択手順によりネットワーク検出及び選択情報とトラフィック経路指定情報を更新する。
【００１７】
ステップ７２０：終了。
【００１８】
処理７０によれば、これ以降はＲＡＮ情報と呼ばれるＲＡＮ支援情報及びＲＡＮ規則を含むネットワーク検出及び選択情報は、アクセス層手順、ハンドオーバ手順、エリア更新手順、アタッチ手順、又は、セル選択手順若しくはセル再選択手順の信号伝達／メッセージを介して更新される。さらに、ＵＥがＰＬＭＮサービングエリアに移動する場合、ＵＥがセルの適用範囲に移動する場合、ＵＥがセルクラスタのエリアに移動する場合、又はＵＥが異機種ネットワーク（heterogeneous  network）（ＨｅｔＮｅｔ）のエリアに移動する場合に、ＲＡＮ情報は更新され得る。
【００１９】
処理７０に基づくいくつかの実例がここで説明される。図８から図１２は、ＲＡＮ情報更新のためのアクセス層手順のメッセージフローを例示する。図８において、装置（すなわち、ＵＥ）は、ＲＡＮ情報を獲得するために、ＲＡＮ情報を問い合わせるためのＵＥ  ＲＡＮ情報照会メッセージをサービングアクセスノードに送信することにより、アクセスノード（すなわち、ｅＮＢ）に問い合わせを行う。装置からＵＥ  ＲＡＮ情報照会メッセージを受信するアクセスノードは、要求している装置に対して、ＲＡＮ情報を有するＵＥ  ＲＡＮ情報更新メッセージを返信するべきである。
【００２０】
ＵＥ  ＲＡＮ情報照会メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、及び／又はサポートされたＲＡＮ規則とＲＡＮ支援情報のセットの能力を含み得る。ＵＥ  ＲＡＮ情報照会メッセージの実装例は、新しいメッセージか、又は下記のメッセージ、ＵＥ能力情報（UECapabilityInformation）、測定報告（Measurement  Report）、ＲＲＣ接続要求（RRCConnection  Request）、及びＲＲＣ接続設定完了（RRCConnection  Setup  Complete）のうちの１つとすることができるであろう。
【００２１】
ＵＥ  ＲＡＮ情報更新メッセージは、適用されたＲＡＮ支援情報（例えば、ＲＡＮ支援情報セット）、適用されたＲＡＮ規則（例えば、規則セット）、ＲＡＮ支援情報（例えば、ＲＡＮ支援情報の内容）、ＲＡＮ規則（例えば、ＲＡＮ規則の内容）、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及び／又はサポートされた他のセルのＲＡＮ規則とＲＡＮ支援情報のセットを含み得る。ＵＥ  ＲＡＮ情報更新メッセージの実装例は、新しいメッセージか、又は下記のメッセージ、ＲＲＣ接続再構成（RRCConnectionReconfiguration）、及び測定制御（MeasurementControl）のうちの１つとすることができるであろう。
【００２２】
図９において、装置は、ＲＡＮ情報を問い合わせるために、ＵＥ  ＲＡＮ情報照会メッセージをサービングアクセスノードに送信する。装置からＵＥ  ＲＡＮ情報照会メッセージを受信するアクセスノードは、次に、ＲＡＮ情報を問い合わせるために、ｅＮＢ  ＲＡＮ情報照会メッセージを関連するサーバノードに送信する。サーバノードがアクセスノードから、ｅＮＢ  ＲＡＮ情報照会メッセージを受信する場合に、サーバノードは、ＲＡＮ情報を有するｅＮＢ  ＲＡＮ情報更新メッセージを要求しているアクセスノードに送信する。アクセスノードがサーバノードから、アクセスノードにより送出されたｅＮＢ  ＲＡＮ情報照会メッセージに関連する、ＲＡＮ情報を有するｅＮＢ  ＲＡＮ情報更新メッセージを受信する場合に、アクセスノードは、次に、ＲＡＮ情報を有するＵＥ  ＲＡＮ情報更新メッセージを対応する要求している装置に送信するべきである。
【００２３】
ｅＮＢ  ＲＡＮ情報照会メッセージは、サーバノードからの最新のＲＡＮ情報を問い合わせるためにアクセスノードによって使用されるとともに、インタワーキングの優先度（例えば、オフロードの優先度、ＲＡＴの優先度）の指標、要求（例えば、ＲＡＮ規則の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、及び／又はサポートされたＲＡＮ規則とＲＡＮ支援情報のセットの能力を含み得る。
【００２４】
ｅＮＢ  ＲＡＮ  情報更新メッセージは、ＲＡＮ  情報をアクセスノードに配信するためにサーバノードによって使用されるとともに、適用されたＲＡＮ支援情報（例えば、ＲＡＮ支援情報セット）、適用されたＲＡＮ規則（例えば、規則セット）、ＲＡＮ支援情報（例えば、ＲＡＮ支援情報の内容）、ＲＡＮ規則（例えば、ＲＡＮ規則の内容）、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及び／又はサポートされた他のセルのＲＡＮ規則とＲＡＮ支援情報のセットを含み得る。
【００２５】
図１０において、アクセスノードが関連するサーバノードから、ＲＡＮ情報を有する、アクセスへのシステムＲＡＮ情報プッシュメッセージ（System  RAN  info  push  to  access  message）を受信する場合に、アクセスノードは、ＲＡＮ情報を有するＵＥ  ＲＡＮ情報プッシュメッセージをアクセスノードのサービス適用範囲における装置に送信する。
【００２６】
アクセスへのシステムＲＡＮ情報プッシュメッセージは、ＲＡＮ情報を１つ又は複数のアクセスノードに配信するためにサーバノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットを含み得る。
【００２７】
ＵＥ  ＲＡＮ情報プッシュメッセージは、ＲＡＮ情報を１つ又は複数の装置に配信するためにアクセスノードによって使用されるとともに、適用されたＲＡＮ支援情報（例えば、ＲＡＮ支援情報セット）、適用されたＲＡＮ規則（例えば、規則セット）、ＲＡＮ支援情報（例えば、ＲＡＮ支援情報の内容）、ＲＡＮ規則（例えば、ＲＡＮ規則の内容）、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットを含む。ＵＥ  ＲＡＮ情報プッシュメッセージの実装例は、新しいメッセージか、又は下記のメッセージ、ＲＲＣ接続再構成（RRCConnection  Reconfiguration）、測定制御（MeasurementControl）、ページング（Paging）、又はＳＩＢ（System  Information  block：システム情報ブロック）のうちの１つとすることができるであろう。
【００２８】
図１１において、アンカーノードが関連するサーバノードから、ＲＡＮ情報を有する、アンカーへのシステムＲＡＮ情報プッシュメッセージ（System  RAN  info  push  to  anchor  message）を受信する場合に、アンカーノードは、次に、ＲＡＮ情報を有するｅＮＢ  ＲＡＮ情報プッシュメッセージを関連するアクセスノードに送信する。アクセスノードが関連するアンカーノードから、ｅＮＢ  ＲＡＮ情報プッシュメッセージを受信する場合に、アクセスノードは、次に、ＲＡＮ情報を有するＵＥ  ＲＡＮ情報プッシュメッセージをアクセスノードのサービス適用範囲における装置に送信する。
【００２９】
アンカーへのシステムＲＡＮ情報プッシュメッセージは、ＲＡＮ情報を１つ又は複数のアンカーノードに配信するためにサーバノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及び／又はサポートされた他のセルのＲＡＮ規則とＲＡＮ支援情報のセットを含み得る。
【００３０】
ｅＮＢ  ＲＡＮ情報プッシュメッセージは、ＲＡＮ情報を１つ又は複数のアクセスノードに配信するためにアンカーノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及び／又はサポートされた他のセルのＲＡＮ規則とＲＡＮ支援情報のセットを含み得る。
【００３１】
図１２において、アクセスノードは、ＲＡＮ情報を有するＵＥ  ＲＡＮ情報プッシュメッセージをアクセスノードのサービス適用範囲における装置に送信する。
【００３２】
図１３から図２４は、ＲＡＮ情報更新のためのハンドオーバ手順のメッセージフローを例示する。図１３において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するアンカーノードに送信する。アクセスノード変更被要求メッセージを受信したアンカーノードは、アクセスノード変更被要求メッセージで運ばれる情報に従って決定を行う。アンカーノードは、もし必要ならば、ＲＡＮ情報に関して、関連するサーバノードに問い合わせを行い得る。アンカーノードは、ソースアクセスノードからターゲットアクセスノードに装置のアクセスノードを変更することを要求するために、ＲＡＮ情報を有するアクセスノード変更要求メッセージをターゲットアクセスノードに送信する。アンカーノードからアクセスノード変更要求メッセージを受信するアクセスノードは、アンカーノードに対してアクセスノード変更要求肯定応答（ＡＣＫ）メッセージによって返信するべきである。アンカーノードがターゲットアクセスノードから、アンカーノードからターゲットアクセスノードに送出されたアクセスノード変更要求メッセージに関連付けられたアクセスノード変更要求ＡＣＫメッセージを受信する場合に、アンカーノードは、ＲＡＮ情報を有するアクセスノード変更命令メッセージをソースアクセスノードに送信する。ソースアクセスノードが、ソースアクセスノードによりアンカーノードに対して送出されたアクセスノード変更被要求メッセージに関連付けられるとともに、ＲＡＮ情報を有するアクセスノード変更命令メッセージを受信する場合に、ソースアクセスノードは、ＲＡＮ情報を有する、装置へのアクセスノード変更命令メッセージ（access  node  change  command  to  device  message）を、関連するアクセスノード変更トリガーメッセージを送出した装置に送信する。その場合に、アクセスノード変更完了手続きが実行される。
【００３３】
アクセスノード変更トリガーメッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリース（例えば、ｒｅｌ−１０、ｒｅｌ−１２）の能力、サポートされたＲＡＮ規則の能力、サポートされたＲＡＮ支援情報の能力、サポートされたＲＡＮ規則とＲＡＮ支援情報のセットの能力、及び測定結果ＩＤ、measResultPCell、measResultNeighCellsを含むかもしれない測定結果を含み得る。
【００３４】
アクセスノード変更被要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、メッセージタイプ、ＭＭＥ  ＵＥ  Ｓ１ＡＰ  ＩＤ、ｅＮＢ  ＵＥ  Ｓ１ＡＰ  ＩＤ、ハンドオーバタイプ、要因、ターゲットＩＤ、ソースからターゲットへの透明コンテナ（source  to  target  transparent  container）を含み得る。
【００３５】
アクセスノード変更要求メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ハンドオーバタイプ、要因、設定リストであるべきＥ−ＲＡＢ（E-RABs  To  Be  Setup  List）、ＵＥの統合した最大のビットレート（UE  Aggregate  Maximum  Bit  Rate）、ソースからターゲットへの透明コンテナ（Source  to  Target  Transparent  Container）、ＵＥセキュリティ能力、セキュリティコンテキストを含み得る。
【００３６】
アクセスノード変更要求ＡＣＫメッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ｅＮＢ  ＵＥ  Ｓ１ＡＰ  ＩＤ、設定リストであるべきＥ−ＲＡＢ（E-RABs  To  Be  Setup  List）、ターゲットからソースへの透明コンテナ（Target  to  Source  Transparent  Container）、ＵＥセキュリティ能力、セキュリティコンテキストを含み得る。
【００３７】
アクセスノード変更命令メッセージは、ＲＡＮ情報をソースアクセスノードに配信するためにアンカーノードによって使用され、したがって、ソースアクセスノードは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ｅＮＢ  ＵＥ  Ｓ１ＡＰ  ＩＤ、ハンドオーバタイプ、設定リストであるべきＥ−ＲＡＢ（E-RABs  To  Be  Setup  List）、ターゲットからソースへの透明コンテナ（Target  to  Source  Transparent  Container）を含み得る。
【００３８】
装置へのアクセスノード変更命令メッセージは、ターゲットアクセスノードのＲＡＮ情報を装置に配信するためにソースアクセスノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ｅＮＢ  ＵＥ  Ｓ１ＡＰ  ＩＤ、ハンドオーバタイプ、設定リストであるべきＥ−ＲＡＢ（E-RABs  To  Be  Setup  List）、ターゲットからソースへの透明コンテナ（Target  to  Source  Transparent  Container）を含み得る。
【００３９】
図１４において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。ソースアクセスノードは、アクセスノードピア変更要求メッセージをターゲットアクセスノードに送信する。アクセスノードピア変更要求メッセージを受信したターゲットアクセスノードは、もし必要ならば、ＲＡＮ情報に関して、関連するサーバノードに問い合わせを行い得る。ターゲットアクセスノードは、ＲＡＮ情報を有するアクセスノードピア変更要求ＡＣＫメッセージをソースアクセスノードに送信する。ソースアクセスノードが、ソースアクセスノードによりターゲットアクセスノードに対して送出されたアクセスノードピア変更要求メッセージに関連付けられるとともに、ＲＡＮ情報を有するアクセスノードピア変更要求ＡＣＫメッセージを受信する場合に、ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００４０】
アクセスノードピア変更要求メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ハンドオーバタイプ、要因、設定リストであるべきＥ−ＲＡＢ（E-RABs  To  Be  Setup  List）、ＵＥの統合した最大のビットレート（UE  Aggregate  Maximum  Bit  Rate）、ソースからターゲットへの透明コンテナ（Source  to  Target  Transparent  Container）、ＵＥセキュリティ能力、セキュリティコンテキストを含み得る。
【００４１】
アクセスノードピア変更要求ＡＣＫメッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、メッセージタイプ、ＭＭＥ  ＵＥ  Ｓ１ＡＰ  ＩＤ、ｅＮＢ  ＵＥ  Ｓ１ＡＰ  ＩＤ、設定リストであるべきＥ−ＲＡＢ（E-RABs  To  Be  Setup  List）、ターゲットからソースへの透明コンテナ（Target  to  Source  Transparent  Container）、ＵＥセキュリティ能力、セキュリティコンテキストを含み得る。
【００４２】
図１５は、図１３に対して異なるシーケンスを有するメッセージフローを例示する。図に示すように、図１５において、ＲＡＮ情報を照会するステップは、アクセスノード変更要求とアクセスノード変更要求ＡＣＫとの間に配置される。言い換えれば、ターゲットアクセスノードは、単独でサーバノードからのＲＡＮ情報を要求する。ターゲットアクセスノードがサーバノードからＲＡＮ情報を受信する場合に、ターゲットアクセスノードは、ＲＡＮ情報を有するアクセスノード変更要求ＡＣＫメッセージをアンカーノードに送信する。他のメッセージは、図１３と同じシーケンスのままであり、したがって詳細な説明は上記から参照されることができる。同様に、図１６は、図１３に対して異なるメッセージシーケンスを例示する。アクセスノード変更要求及びアクセスノード変更要求ＡＣＫは、ＲＡＮ情報を照会するステップの前に配置される。アンカーノードがターゲットアクセスノードから、アクセスノード変更要求ＡＣＫを受信する場合に、アンカーノードは、アクセスノード変更トリガーメッセージをソースアクセスノードに送信することによって手続きを開始した装置のためのターゲットアクセスノードに対応するＲＡＮ情報を獲得するために、ＲＡＮ情報を照会する手続きを実行する。
【００４３】
図１７において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するアンカーノードに送信する。アクセスノード変更被要求メッセージを受信したアンカーノードは、メッセージで運ばれる情報に従って決定を行う。それから、アンカーノードは、ソースアクセスノードからターゲットアクセスノードに装置のアクセスノードを変更することを要求するために、アクセスノード変更要求メッセージをターゲットアクセスノードに送信する。アンカーノードからアクセスノード変更要求メッセージを受信するターゲットアクセスノードは、次に、アンカーノードに対してアクセスノード変更要求ＡＣＫメッセージを送信する。アンカーノードがターゲットアクセスノードから、アンカーノードからターゲットアクセスノードに送出されたアクセスノード変更要求メッセージに関連付けられたアクセスノード変更要求ＡＣＫメッセージを受信する場合に、アンカーノードは、アクセスノード変更命令メッセージを関連するソースアクセスノードに送信する。ソースアクセスノードがアンカーノードから、ソースアクセスノードによりアンカーノードに対して送出されたアクセスノード変更被要求メッセージに関連付けられたアクセスノード変更命令メッセージを受信する場合に、ソースアクセスノードは、もし必要ならば、ＲＡＮ情報に関して、関連するサーバノードに問い合わせを行い得る。ソースアクセスノードは、ＲＡＮ情報を有するアクセスノード情報転送メッセージをターゲットアクセスノードに送信する。ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００４４】
アクセスノード情報転送メッセージは、ＲＡＮ情報をターゲットアクセスノードに配信するためにソースアクセスノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットを含み得る。
【００４５】
図１８において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。アンカーノード再配置要求メッセージを受信したターゲットアンカーノードは、もし必要ならば、ＲＡＮ情報に関して、関連するサーバノードに問い合わせを行い得る。ターゲットアンカーノードは、ソースアクセスノードからターゲットアクセスノードに装置のアクセスノードを変更することを要求するために、ＲＡＮ情報を有するアクセスノード変更要求メッセージをターゲットアクセスノードに送信する。ターゲットアクセスノードがターゲットアンカーノードからアクセスノード変更要求メッセージを受信する場合に、ターゲットアクセスノードは、アクセスノード変更要求ＡＣＫメッセージをターゲットアンカーノードに送信する。ターゲットアンカーノードがターゲットアクセスノードから、ターゲットアンカーノードからターゲットアクセスノードに送出されたアクセスノード変更要求メッセージに関連付けられたアクセスノード変更要求ＡＣＫメッセージを受信する場合に、ターゲットアンカーノードは、ＲＡＮ情報を有するアンカーノード再配置応答メッセージをソースアンカーノードに送信する。ターゲットアンカーノードから、ソースアンカーノードによりターゲットアンカーノードに対して送出されたアンカーノード再配置要求メッセージに関連付けられたアンカーノード再配置応答メッセージを受信したソースアンカーノードは、ＲＡＮ情報を有するアクセスノード変更命令メッセージを関連するソースアクセスノードに送信する。ソースアクセスノードがソースアンカーノードから、ソースアクセスノードによりソースアンカーノードに対して送出されたアクセスノード変更被要求メッセージに関連付けられるとともに、ＲＡＮ情報を有するアクセスノード変更命令メッセージを受信する場合に、ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００４６】
アンカーノード再配置要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、ＭＭＥ  ＵＥコンテキスト、ソースからターゲットへの透明コンテナ（Source  to  Target  Transparent  Container）、ＲＡＮ理由（RAN  Cause）、ターゲットｅＮＢアイデンティティ（Target  eNB  Identity）、ＣＧＳ  ＩＤ、ＣＳＧメンバーシップ指示（CSG  Membership  Indication）、ターゲットＴＡＩ（Target  TAI）、ＭＳ情報変更報告機能（MS  Info  Change  Reporting  Action）、ＣＳＧ情報報告機能（CSG  Information  Reporting  Action）、ＵＥ時間帯（UE  Time  Zone）、直接的転送フラグ（Direct  Forwarding  Flag）、サービングネットワーク（Serving  Network）、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及びサポートされた他のセルのＲＡＮ規則とＲＡＮ支援情報のセットを含み得る。
【００４７】
アンカーノード再配置応答メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、要因、ターゲットからソースへの透明コンテナ（Target  to  Source  Transparent  Container）、サービングゲートウェイ変更指示（Serving  GW  change  indication）、ＥＰＳベアラ設定リスト（EPS  Bearer  Setup  List）、及びアドレスとＴＥＩＤ（Addresses  and  TEIDs）を含み得る。
【００４８】
図１９は、図１８に対して異なるシーケンスを有するメッセージフローを例示する。図に示すように、図１９において、ＲＡＮ情報を照会するステップは、アンカーノード再配置要求メッセージの前に配置される。ソースアンカーノードがＲＡＮ情報を獲得する場合に、ソースアンカーノードは、ＲＡＮ情報を有するアンカーノード再配置要求メッセージをターゲットアンカーノードに送信する。他のメッセージは、図１８と同じシーケンスのままであり、したがって詳細な説明は上記から参照されることができる。
【００４９】
図２０において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。ソースアンカーノードは、もし必要ならば、ＲＡＮ情報に関して、関連するサーバノードに問い合わせを行い得る。それから、ソースアンカーノードは、ＲＡＮ情報を有する転送ＲＡＮ情報構成メッセージをターゲットアンカーノードに送信する。ターゲットアンカーノードは、ソースアクセスノードからターゲットアクセスノードに装置のアクセスノードを変更することを要求するために、ＲＡＮ情報を有するアクセスノード変更要求メッセージをターゲットアクセスノードに送信する。ターゲットアクセスノードがアンカーノードからアクセスノード変更要求メッセージを受信する場合に、ターゲットアクセスノードは、アクセスノード変更要求ＡＣＫメッセージをアンカーノードに送信する。ターゲットアンカーノードがターゲットアクセスノードから、ターゲットアンカーノードからターゲットアクセスノードに送出されたアクセスノード変更要求メッセージに関連付けられたアクセスノード変更要求ＡＣＫメッセージを受信する場合に、ターゲットアンカーノードは、ＲＡＮ情報を有するアンカーノード再配置応答メッセージをソースアンカーノードに送信する。ソースアンカーノードにより送出されたアンカーノード再配置要求メッセージに関連付けられたアンカーノード再配置応答メッセージを受信したソースアンカーノードは、ＲＡＮ情報を有するアクセスノード変更命令メッセージを関連するソースアクセスノードに送信する。ソースアクセスノードがアンカーノードから、ソースアクセスノードによりアンカーノードに対して送出されたアクセスノード変更被要求メッセージに関連付けられるとともに、ＲＡＮ情報を有するアクセスノード変更命令メッセージを受信する場合に、ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００５０】
転送ＲＡＮ情報構成メッセージは、ＲＡＮ情報をターゲットアンカーノードに転送するためにソースアンカーノードによって使用されるとともに、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、及びサポートされた他のセルのＲＡＮ規則とＲＡＮ支援情報のセットを含み得る。
【００５１】
図２１において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。ソースアンカーノードは、もし必要ならば、ＲＡＮ情報に関して、関連するサーバノードに問い合わせを行うことを決定し得る。アンカーノード再配置要求メッセージを受信したターゲットアンカーノードは、ソースアクセスノードからターゲットアクセスノードに装置のアクセスノードを変更することを要求するために、アクセスノード変更要求メッセージをターゲットアクセスノードに送信する。アンカーノードからアクセスノード変更要求メッセージを受信したターゲットアクセスノードは、アクセスノード変更要求ＡＣＫメッセージをアンカーノードに送信する。ターゲットアンカーノードがターゲットアクセスノードから、ターゲットアンカーノードからターゲットアクセスノードに送出されたアクセスノード変更要求メッセージに関連付けられたアクセスノード変更要求ＡＣＫメッセージを受信する場合に、ターゲットアンカーノードは、アンカーノード再配置応答メッセージをソースアンカーノードに送信する。ソースアンカーノードにより送出されたアンカーノード再配置要求メッセージに関連付けられたアンカーノード再配置応答メッセージを受信したソースアンカーノードは、ＲＡＮ情報を有するアクセスノード変更命令メッセージを関連するソースアクセスノードに送信する。ソースアクセスノードがアンカーノードから、ソースアクセスノードによりアンカーノードに対して送出されたアクセスノード変更被要求メッセージに関連付けられるとともに、ＲＡＮ情報を有するアクセスノード変更命令メッセージを受信する場合に、ソースアクセスノードは、ＲＡＮ情報を有する、装置へのアクセスノード変更命令メッセージを、関連するアクセスノード変更トリガーメッセージを送出した装置に送信する。ソースアクセスノードは、ＲＡＮ情報を有するアクセスノード情報転送メッセージをターゲットアクセスノードに送信する。その場合に、アクセスノード変更完了手続きが実行される。
【００５２】
図２２において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。アンカーノード再配置要求メッセージを受信したターゲットアンカーノードは、ソースアクセスノードからターゲットアクセスノードに装置のアクセスノードを変更することを要求するために、アクセスノード変更要求メッセージをターゲットアクセスノードに送信する。ターゲットアンカーノードからアクセスノード変更要求メッセージを受信したターゲットアクセスノードは、もし必要ならば、ＲＡＮ情報に関して、関連するサーバノードに問い合わせを行い得る。ターゲットアクセスノードは、ＲＡＮ情報を有するアクセスノード変更要求ＡＣＫメッセージをターゲットアンカーノードに送信する。ターゲットアンカーノードがターゲットアクセスノードから、ターゲットアンカーノードからターゲットアクセスノードに送出されたアクセスノード変更要求メッセージに関連付けられるとともに、ＲＡＮ情報を有するアクセスノード変更要求ＡＣＫメッセージを受信する場合に、ターゲットアンカーノードは、ＲＡＮ情報を有するアンカーノード再配置応答メッセージをソースアンカーノードに送信する。ソースアンカーノードにより送出されたアンカーノード再配置要求メッセージに関連付けられるとともに、ＲＡＮ情報を有するアンカーノード再配置応答メッセージを受信したソースアンカーノードは、ＲＡＮ情報を有するアクセスノード変更命令メッセージを、関連するソースアクセスノードに送信する。ソースアクセスノードがアンカーノードから、ソースアクセスノードによりアンカーノードに対して送出されたアクセスノード変更被要求メッセージに関連付けられるとともに、ＲＡＮ情報を有するアクセスノード変更命令メッセージを受信する場合に、ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００５３】
図２３において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。ターゲットアンカーノードは、ソースアクセスノードからターゲットアクセスノードに装置のアクセスノードを変更することを要求するために、アクセスノード変更要求メッセージをターゲットアクセスノードに送信する。ターゲットアンカーノードからアクセスノード変更要求メッセージを受信したターゲットアクセスノードは、もし必要ならば、ＲＡＮ情報に関して、関連するサーバノードに問い合わせを行い得る。ターゲットアクセスノードは、アクセスノード変更要求ＡＣＫメッセージをターゲットアンカーノードに送信する。ターゲットアンカーノードがターゲットアクセスノードから、ターゲットアンカーノードからターゲットアクセスノードに送出されたアクセスノード変更要求メッセージに関連付けられたアクセスノード変更要求ＡＣＫメッセージを受信する場合に、ターゲットアンカーノードは、アンカーノード再配置応答メッセージをソースアンカーノードに送信する。ソースアンカーノードにより送出されたアンカーノード再配置要求メッセージに関連付けられたアンカーノード再配置応答メッセージを受信したソースアンカーノードは、アクセスノード変更命令メッセージを関連するソースアクセスノードに送信する。ソースアクセスノードがアンカーノードから、ソースアクセスノードによりアンカーノードに対して送出されたアクセスノード変更被要求メッセージに関連付けられたアクセスノード変更命令メッセージを受信する場合に、ソースアクセスノードは、もし必要ならば、ＲＡＮ情報に関して、関連するサーバノードに問い合わせを行い得る。ソースアクセスノードは、ＲＡＮ情報を有する、装置へのアクセスノード変更命令メッセージを、関連するアクセスノード変更トリガーメッセージを送出した装置に送信する。その場合に、アクセスノード変更完了手続きが実行される。
【００５４】
図２４において、ソースアクセスノードにより対応（serve：サーブ）される装置は、ソースアクセスノードのサービス適用範囲からターゲットアクセスノードのサービス適用範囲に向かって移動している。ソースアクセスノードは装置から、アクセスノード変更トリガーメッセージを受信し、そしてアクセスノード変更トリガーメッセージで運ばれる情報に従って決定を行う。次に、ソースアクセスノードは、アクセスノード変更被要求メッセージを関連するソースアンカーノードに送信する。アクセスノード変更被要求メッセージを受信したソースアンカーノードは、メッセージで運ばれる情報に従って決定を行う。それから、ソースアンカーノードは、アンカーノード再配置要求メッセージをターゲットアンカーノードに送信する。アンカーノード再配置要求メッセージを受信したターゲットアンカーノードは、ソースアクセスノードからターゲットアクセスノードに装置のアクセスノードを変更することを要求するために、アクセスノード変更要求メッセージをターゲットアクセスノードに送信する。ターゲットアンカーノードからアクセスノード変更要求メッセージを受信したターゲットアクセスノードは、アクセスノード変更要求ＡＣＫメッセージをターゲットアンカーノードに送信する。ターゲットアンカーノードがターゲットアクセスノードから、ターゲットアンカーノードからターゲットアクセスノードに送出されたアクセスノード変更要求メッセージに関連付けられたアクセスノード変更要求ＡＣＫメッセージを受信する場合に、ターゲットアンカーノードは、アンカーノード再配置応答メッセージを関連するソースアンカーノードに送信する。ソースアンカーノードにより送出されたアンカーノード再配置要求メッセージに関連付けられたアンカーノード再配置応答メッセージを受信したソースアンカーノードは、アクセスノード変更命令メッセージを関連するソースアクセスノードに送信する。ソースアクセスノードがアンカーノードから、ソースアクセスノードによりアンカーノードに対して送出されたアクセスノード変更被要求メッセージに関連付けられたアクセスノード変更命令メッセージを受信する場合に、ソースアクセスノードは、もし必要ならば、ＲＡＮ情報に関して、関連するサーバノードに問い合わせを行い得る。ソースアクセスノードは、ＲＡＮ情報を有する、装置へのアクセスノード変更命令メッセージを、関連するアクセスノード変更トリガーメッセージを送出した装置に送信する。ソースアクセスノードは、ＲＡＮ情報を有するアクセスノード情報転送メッセージをターゲットアクセスノードに送信する。その場合に、アクセスノード変更完了手続きが実行される。
【００５５】
図２５〜図２６は、ＲＡＮ情報更新のためのエリア更新手順のメッセージフローを例示する。図２５において、アクセスノードにより対応（serve：サーブ）される装置は、サービスネットワークに対する最新のサービス領域情報を更新するために、サービス領域変更手順を実行する。装置は、サービス領域変更手順を開始するために、ｅＮＢへのサービス領域変更要求メッセージ（service  region  change  request  to  eNB  message）をアクセスノードに送信する。アクセスノードは装置から、ｅＮＢへのサービス領域変更要求メッセージを受信し、そしてｅＮＢへのサービス領域変更要求メッセージで運ばれる情報に従って決定を行う。次に、アクセスノードは、アンカーへのサービス領域変更要求メッセージ（service  region  change  request  to  anchor  message）を関連するアンカーノードに送信する。アンカーへのサービス領域変更要求メッセージを受信したアンカーノードは、もし必要ならば、ＲＡＮ情報に関して、関連するサーバノードに問い合わせを行い得る。アンカーノードは、ＲＡＮ情報を有する、ｅＮＢへのサービス領域変更承認メッセージ（service  region  change  accept  to  eNB  message）を関連するアクセスノードに送信する。アクセスノードがアンカーノードから、アクセスノードがアンカーノードに送出したアンカーへのサービス領域変更要求メッセージに関連付けられるとともに、ＲＡＮ情報を有する、ｅＮＢへのサービス領域変更承認メッセージを受信する場合に、アクセスノードは、ＲＡＮ情報を有する、ＵＥへのサービス領域変更承認メッセージ（service  region  change  accept  to  UE  message）を、関連するｅＮＢへのサービス領域変更要求メッセージを送出した装置に送信する。装置がアクセスノードから、装置がアクセスノードに送出したｅＮＢへのサービス領域変更要求メッセージに関連付けられたＵＥへのサービス領域変更承認メッセージを受信する場合に、サービス領域変更完了手続きが実行される。
【００５６】
ｅＮＢへのサービス領域変更要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、プロトコル識別子、セキュリティヘッダタイプ（security  header  type）、トラッキングエリア更新要求メッセージアイデンティティ（tracking  area  update  request  message  identity）、ＥＰＳ更新タイプ（EPS  update  type）、ＮＡＳキーセット識別子（NAS  key  set  identifier）、及びＯｌｄ  ＧＵＴＩを含み得る。
【００５７】
アンカーへのサービス領域変更要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、プロトコル識別子、セキュリティヘッダタイプ（security  header  type）、トラッキングエリア更新要求メッセージアイデンティティ（tracking  area  update  request  message  identity）、ＥＰＳ更新タイプ（EPS  update  type）、ＮＡＳキーセット識別子（NAS  key  set  identifier）、Ｏｌｄ  ＧＵＴＩを含み得る。
【００５８】
ｅＮＢへのサービス領域変更承認メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、プロトコル識別子、セキュリティヘッダタイプ（security  header  type）、トラッキングエリア更新承認メッセージアイデンティティ（tracking  area  update  request  message  identity）、ＥＰＳ更新結果（EPS  update  result）、及びスペアハーフオクテット（spare  half  octet）を含み得る。
【００５９】
ＵＥへのサービス領域変更承認メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセット、プロトコル識別子、セキュリティヘッダタイプ（security  header  type）、トラッキングエリア更新承認メッセージアイデンティティ（tracking  area  update  request  message  identity）、ＥＰＳ更新結果（EPS  update  result）、及びスペアハーフオクテット（spare  half  octet）を含み得る。
【００６０】
図２６において、アクセスノードにより対応（serve：サーブ）される装置は、サービスネットワークに対する最新のサービス領域情報を更新するために、サービス領域変更手順を実行することを決定する。装置は、サービス領域変更手順を開始するために、ｅＮＢへのサービス領域変更要求メッセージをアクセスノードに送信する。アクセスノードは装置から、ｅＮＢへのサービス領域変更要求メッセージを受信し、そしてｅＮＢへのサービス領域変更要求メッセージで運ばれる情報に従って決定を行う。次に、アクセスノードは、アンカーへのサービス領域変更要求メッセージを関連するアンカーノードに送信する。アクセスノードからアンカーへのサービス領域変更要求メッセージを受信したアンカーノードは、ｅＮＢへのサービス領域変更承認メッセージをアクセスノードに送信する。アクセスノードがアンカーノードから、アクセスノードがアンカーノードに送出したアンカーへのサービス領域変更要求メッセージに関連付けられたｅＮＢへのサービス領域変更承認メッセージを受信する場合に、アクセスノードは、もし必要ならば、ＲＡＮ情報に関して、関連するサーバノードに問い合わせを行い得る。アクセスノードは、ＲＡＮ情報を有するアクセスノード状態転送メッセージを関連するアンカーノードに送信する。アクセスノードは、ＲＡＮ情報を有する、ＵＥへのサービス領域変更承認メッセージを、関連する装置に送信する。装置がアクセスノードから、装置がアクセスノードに送出したｅＮＢへのサービス領域変更要求メッセージに関連付けられたＵＥへのサービス領域変更承認メッセージを受信する場合に、サービス領域変更完了手続きが実行される。
【００６１】
アクセスノード状態転送メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットを含み得る。
【００６２】
図２７〜図２８は、ＲＡＮ情報更新のためのアタッチ手順のメッセージフローを例示する。図２７において、装置は、ネットワークサービスを獲得するためにネットワークと交信することを決定する。装置は、ｅＮＢへの交信要求メッセージ（contact  request  to  eNB  message）をアクセスノードに送信する。アクセスノードは装置から、ｅＮＢへの交信要求メッセージを受信し、そしてｅＮＢへの交信要求メッセージで運ばれる情報に従って決定を行う。次に、アクセスノードは、アンカーへの交信要求メッセージ（contact  request  to  anchor  message）を関連するアンカーノードに送信する。アクセスノードからアンカーへの交信要求メッセージを受信したアンカーノードは、もし必要ならば、ＲＡＮ情報に関して、関連するサーバノードに問い合わせを行い得る。アンカーノードは、ＲＡＮ情報を有する、交信承認メッセージをアクセスノードに送信する。アクセスノードがアンカーノードから、アクセスノードがアンカーノードに送出したアンカーへの交信要求メッセージに関連付けられるとともに、ＲＡＮ情報を有する交信承認メッセージを受信する場合に、アクセスノードは、ＲＡＮ情報を有する接続再構成メッセージを、関連する装置に送信する。装置がアクセスノードから、装置からアクセスノードに送出されたｅＮＢへの交信要求メッセージに関連付けられた接続再構成メッセージを受信する場合に、接続完了手続きが実行される。
【００６３】
ｅＮＢへの交信要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、プロトコル識別子、セキュリティヘッダタイプ（security  header  type）、アタッチ要求メッセージアイデンティティ（attach  request  message  identity）、ＥＰＳアタッチタイプ（EPS  attach  type）、ＮＡＳキーセット識別子（NAS  key  set  identifier）、ＥＰＳモバイルアイデンティティ（EPS  mobile  identity）、ＵＥネットワーク能力（UE  network  capability）、及びＥＳＭメッセージコンテナ（ESM  message  container）を含み得る。
【００６４】
アンカーへの交信要求メッセージは、インタワーキングの優先度（例えば、オフロードの優先度、ＲＡＴの優先度）の指標、要求（例えば、ＲＡＮ支援情報の要求）の要因の指標、ＲＡＮ規則をサポートする能力の指標、ＲＡＮ支援情報をサポートする能力の指標、サポートされた３ＧＰＰリリースの能力、サポートされたＲＡＮ規則の能力、サポートされたＲＡＮ支援情報の能力、サポートされたＲＡＮ規則とＲＡＮ支援情報のセットの能力、プロトコル識別子、セキュリティヘッダタイプ（security  header  type）、アタッチ要求メッセージアイデンティティ（attach  request  message  identity）、ＥＰＳアタッチタイプ（EPS  attach  type）、ＮＡＳキーセット識別子（NAS  key  set  identifier）、ＥＰＳモバイルアイデンティティ（EPS  mobile  identity）、ＵＥネットワーク能力（UE  network  capability）、ＥＳＭメッセージコンテナ（ESM  message  container）を含み得る。
【００６５】
交信承認メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットと、プロトコル識別子、セキュリティヘッダタイプ（security  header  type）、アタッチ承認メッセージアイデンティティ（attach  accept  message  identity）、ＥＰＳアタッチ結果（EPS  attach  result）、スペアハーフオクテット（spare  half  octet）と、Ｔ３４１２の値（T3412  value）、ＴＡＩリスト（TAI  list）、及びＥＳＭメッセージコンテナ（ESM  message  container）を含み得る。
【００６６】
接続再構成メッセージは、適用されたＲＡＮ支援情報、適用されたＲＡＮ規則、ＲＡＮ支援情報、ＲＡＮ規則、ＲＡＮ規則セットの構成、ＲＡＮ支援情報セットの構成、ＲＡＮ規則とＲＡＮ支援情報のセットの構成、サポートされた他のセルのＲＡＮ規則セット、サポートされた他のセルのＲＡＮ支援情報セット、サポートされた他のセルのＲＡＮ規則とＲＡＮ支援情報のセットと、rrc-TransacionIdentifier、クリティカル拡張子（critical  Extensions）、及びSecurityConfigHOを含み得る。
【００６７】
図２８において、装置は、ネットワークサービスを獲得するためにネットワークと交信することを決定する。装置は、ｅＮＢへの交信要求メッセージをアクセスノードに送信する。アクセスノードは装置から、ｅＮＢへの交信要求メッセージを受信し、そしてｅＮＢへの交信要求メッセージで運ばれる情報に従って決定を行う。次に、アクセスノードは、アンカーへの交信要求メッセージを関連するアンカーノードに送信する。アクセスノードからアンカーへの交信要求メッセージを受信したアンカーノードは、交信承認メッセージをアクセスノードに送信する。アクセスノードがアンカーノードから、アクセスノードがアンカーノードに送出したアンカーへの交信要求メッセージに関連付けられた交信承認メッセージを受信する場合に、アクセスノードは、もし必要ならば、ＲＡＮ情報に関して、関連するサーバノードに問い合わせを行い得る。アクセスノードは、その場合に、ＲＡＮ情報を有するアクセスノード状態転送メッセージをアンカーノードに送信し得る。アクセスノードは、ＲＡＮ情報を有する接続再構成メッセージを、関連する装置に送信する。装置がアクセスノードから、装置がアクセスノードに送出したｅＮＢへの交信要求メッセージに関連付けられた接続再構成メッセージを受信する場合に、接続完了手続きが実行される。
【００６８】
図に示すように、新しい情報要素を、アクセス層手順、ハンドオーバ手順、エリア更新手順、アタッチ手順の信号伝達／メッセージの中に含むことにより、アクセスノード、サーバノード、及び装置は、更新のためのＲＡＮ情報を問い合わせるとともに獲得することができる。
【００６９】
ＲＡＮ支援情報及びＲＡＮ規則をアクセス層手順、ハンドオーバ手順、エリア更新手順、及びアタッチ手順の信号伝達又は上記のメッセージの中に含めるために、本発明は、データ（すなわち、ＲＡＮ情報）の量を減少させるための、ＲＡＮ支援情報及びＲＡＮ規則に対するセット設計を提供する。
【００７０】
セット設計は、下記の通りに例示される。ＲＡＮ支援情報（これ以降はＲＡＩと呼ばれる）は、ＲＡＩセットにグループ化されるパラメータを含む。例えば、パラメータは、threshDIBackhaulRateLow、threshRsrpLow、threshOffloadPreference、threshBSSLoadHigh、threshRsrpHigh、及びthreshRsrqLowを含み得る。ＲＡＩセットは、ＲＡＩセット番号によって識別されることができる。サーバノードは、ＲＡＩセットを保持し得るとともに、ＲＡＩセットの構成を装置に送信し得る。ＲＡＩセットは、装置に保存され得る。さらに、アクセスノードは、いくつかのＲＡＩセットをサポートし得る。
【００７１】
さらに、ＲＡＮ支援情報の各パラメータは、数値に関連付けられ得る。図２９は、ＲＡＩセットの構成の第１の例を例示する。ＲＡＮ支援情報は、１６個のＲＡＩセット、すなわちＲＡＩセット１〜ＲＡＩセット１６にグループ化される４個のパラメータ、すなわちパラメータ１、パラメータ２、パラメータ３、及びパラメータ４を含む。４個のバイナリビットは、パラメータがＲＡＩセットに含まれるかどうかを示すために使用される。ＲＡＩセット１は、｛１、１、１、０｝のように示され、それは、パラメータ１、パラメータ２、及びパラメータ３がＲＡＩセット１に含まれ、しかしパラメータ４はＲＡＩセット１に含まれないことを意味する。
【００７２】
図３０は、ＲＡＩセットの構成の第２の例を例示する。ＲＡＮ支援情報は、１６個のＲＡＩセットにグループ化される４個のパラメータ、すなわちパラメータ１、パラメータ２、パラメータ３、及びパラメータ４を含む。４個のバイナリビットは、パラメータがＲＡＩセットに含まれるかどうかを示すために使用される。例えば、｛１、１、１、０｝は、パラメータ１、パラメータ２、及びパラメータ３がＲＡＩセットに含まれることを示す。
【００７３】
図３１は、ＲＡＩセットの構成の第３の例を例示する。同様に、４個のパラメータ、すなわちパラメータ１、パラメータ２、パラメータ３、及びパラメータ４があり、パラメータは４個のＲＡＩセットにグループ化されるとともに、各ＲＡＩセットは、関連するセットアイデンティティ（set  identity）、すなわちＲＡＩセット１〜ＲＡＩセット４を有している。ＲＡＩセット１は、パラメータ１を含む。ＲＡＩセット２は、パラメータ１、及びパラメータ２を含む。ＲＡＩセット３は、パラメータ１、パラメータ２、及びパラメータ３を含む。ＲＡＩセット４は、パラメータ１、パラメータ２、パラメータ３、及びパラメータ４を含む。
【００７４】
同じ方法によって、ＲＡＮ規則（これ以降はＲＲと呼ばれる）がセット設計において示されることができるであろう。言い換えれば、ＲＡＮ規則はＲＲセットにグループ化されることができる。ＲＡＮ規則は、下記の（１）から（７）の規則を含み得る。（１）“ＮＳＷＯのためのＩＡＲＰ（IARP  for  NSWO）”規則：もしＷＬＡＮのバックホール速度（backhaul  rate）がthreshDIBackhaulRateLowに対してより大きいならば、“ＹｏｕＴｕｂｅ（登録商標）”トラフィックを直接的にＷＬＡＮに送る。（２）“ＡＰＮのためのＩＡＲＰ（IARP  for  APN）”規則：もしＷＬＡＮのＢＳＳ負荷（BSS  load）がthreshBssLoadHighを越えるならば、“Ｓｋｙｐｅ”トラフィックをＡＰＮ−ｘに送る。（３）“ＩＳＭＰ”規則：もしmeasured RSRP＜threshRsrpLowならば、ＷＬＡＮを介したＥＰＣアクセスを選択する。（４）“ＩＳＭＰ”規則：もしoffloadpreference＜threshOffloadPreference、そしてmeasured RSRP＞threshRsrpHighならば、３ＧＰＰを介したＥＰＣアクセスを選択する。（５）“ＩＦＯＭのためのＩＳＲＰ”規則：もしOffload preference≧threshOffloadPreferenceならば、ＵＤＰ／ＲＴＰフローをＷＬＡＮに送る。（６）“ＷＬＡＮＳＰ”規則：もしＷＬＡＮのバックホール速度≧threshDIBackhaulRateLow、そしてmeasured RSRQ＜threshRsrqLowならば、partner1.comと相互作用するＷＬＡＮを選択する。（７）“ＩＳＭＰ”規則：もしoffload preference≧threshOffloadPreferenceならば、ＷＬＡＮを介したＥＰＣアクセスを選択する。ＲＲセットは、ＲＲセット番号によって識別されることができる。サーバノードは、ＲＲセットを保持し得るとともに、ＲＲセットの構成を装置に送信し得る。ＲＲセットは、装置に保存され得る。さらに、アクセスノードは、いくつかのＲＲセットをサポートし得る。
【００７５】
図３２は、ＲＲセットの構成の第１の例を例示する。４個のＲＡＮ規則、すなわちＲＡＮ規則１、ＲＡＮ規則２、ＲＡＮ規則３、及びＲＡＮ規則４があり、ＲＡＮ規則は４個のＲＲセット、すなわちＲＲセット１〜ＲＲセット４にグループ化される。ＲＲセット１は、ＲＡＮ規則１を含む。ＲＲセット２は、ＲＡＮ規則１、及びＲＡＮ規則２を含む。ＲＲセット３は、ＲＡＮ規則１、ＲＡＮ規則２、及びＲＡＮ規則３を含む。ＲＲセット４は、ＲＡＮ規則１、ＲＡＮ規則２、ＲＡＮ規則３、及びＲＡＮ規則４を含む。
【００７６】
図３３は、ＲＲセットの構成の第２の例を例示する。４個のＲＡＮ規則、すなわちＲＡＮ規則１、ＲＡＮ規則２、ＲＡＮ規則３、及びＲＡＮ規則４があり、ＲＡＮ規則は１６個のＲＲセット、すなわちＲＲセット１〜ＲＲセット１６にグループ化される。４個のバイナリビットは、ＲＡＮ規則がＲＲセットに含まれるかどうかを示すために使用される。ＲＲセット１は、｛１、１、１、０｝のように示され、それは、ＲＡＮ規則１、ＲＡＮ規則２、及びＲＡＮ規則３がＲＲセット１に含まれることを意味する。
【００７７】
図３４は、ＲＲセットの構成の第３の例を例示する。４個のＲＡＮ規則、すなわちＲＡＮ規則１、ＲＡＮ規則２、ＲＡＮ規則３、及びＲＡＮ規則４があり、ＲＡＮ規則は１６個のＲＲセットにグループ化される。４個のバイナリビットは、ＲＡＮ規則がＲＲセットに含まれるかどうかを示すために使用される。｛１、１、１、０｝は、ＲＡＮ規則１、ＲＡＮ規則２、及びＲＡＮ規則３がＲＲセットに含まれることを示す。
【００７８】
一実施例において、ＲＡＮ規則及びＲＡＮ支援情報（これ以降はＲｎＲと呼ばれる）がセット設計において示されることができるであろう。ＲＡＮ規則及びＲＡＮ支援情報はＲｎＲセットにグループ化されることができる。ＲｎＲセットは、ＲｎＲセット番号によって識別されることができる。サーバノードは、ＲｎＲセットを保持し得るとともに、ＲｎＲセットの構成を装置に送信し得る。ＲｎＲセットは、装置に保存され得る。さらに、アクセスノードは、いくつかのＲｎＲセットをサポートし得る。
【００７９】
図３５は、ＲｎＲセットの構成の第１の例を例示する。２個のパラメータと２個のＲＡＮ規則、すなわちパラメータ１、パラメータ２、ＲＡＮ規則１、及びＲＡＮ規則２は、１６個のＲｎＲセットにグループ化されるとともに、各ＲｎＲセットは、関連するセットアイデンティティ、すなわちＲｎＲセット１〜ＲｎＲセット１６を有している。４個のバイナリビットは、パラメータ及びＲＡＮ規則がＲｎＲセットに含まれるかどうかを示すために使用される。ＲｎＲセット１は、｛１、１、１、１｝のように示され、それは、パラメータ１、パラメータ２、ＲＡＮ規則１、及びＲＡＮ規則２がＲｎＲセット１に含まれることを意味する。
【００８０】
図３６は、ＲｎＲセットの構成の第２の例を例示する。２個のパラメータと２個のＲＡＮ規則、すなわちパラメータ１、パラメータ２、ＲＡＮ規則１、及びＲＡＮ規則２は、１６個のＲｎＲセットにグループ化される。４個のバイナリビットは、パラメータ及びＲＡＮ規則がＲｎＲセットに含まれるかどうかを示すために使用される。｛１、１、１、１｝は、パラメータ１、パラメータ２、ＲＡＮ規則１、及びＲＡＮ規則２がＲｎＲセットに含まれることを示す。
【００８１】
図３７は、ＲｎＲセットの構成の第３の例を例示する。２個のパラメータと３個のＲＡＮ規則、すなわちパラメータ１、パラメータ２、ＲＡＮ規則１、ＲＡＮ規則２、及びＲＡＮ規則３は、４個のＲｎＲセットにグループ化されるとともに、各ＲｎＲセットは、関連するセットアイデンティティ、すなわちＲｎＲセット１〜ＲｎＲセット４を有している。ＲｎＲセット１は、パラメータ１、及びＲＡＮ規則１を含む。ＲｎＲセット２は、パラメータ２、及びＲＡＮ規則２を含む。ＲｎＲセット３は、パラメータ１、パラメータ２、ＲＡＮ規則１、及びＲＡＮ規則２を含む。ＲｎＲセット４は、パラメータ１、パラメータ２、ＲＡＮ規則１、ＲＡＮ規則２、及びＲＡＮ規則３を含む。
【００８２】
処理７０及びＲＡＮ情報セット設計に基づいて、ＲＡＮ情報（すなわち、ＲＡＮ支援情報及びＲＡＮ規則）は、アクセス層手順、ハンドオーバ手順、エリア更新手順、又はアタッチ手順の上記の信号伝達／メッセージにおけるセットベースの構成によって更新されることができるであろう。
【００８３】
さらに、アクセスノードは、ＲＡＩセット番号／ＲＲセット番号／ＲｎＲセット番号、及びＲＡＩセット／ＲｎＲセットの数値を装置に提供することによって、ＲＡＮ情報を更新し得る。したがって、装置は、装置に保存されたＲＡＩセット／ＲｎＲセットの対応するパラメータに受信された数値を適用することができるか、又は装置に保存されたＲＲセット内のＲＡＮ規則を適用することができる。
【００８４】
詳細なＲＡＮ情報更新動作に関しては、図３８〜図４０を参照する。図３８において、セットベースのＲＡＩ構成／セットベースのＲＲ構成／セットベースのＲｎＲ構成が、ＰＬＭＮのサーバノードにおいて事前設定され得る。ＲＡＩセット１は、パラメータ１を含む。ＲＡＩセット２は、パラメータ１及びパラメータ２を含む。ＲＲセット１は、ＲＡＮ規則１を含む。ＲＲセット２は、ＲＡＮ規則１及びＲＡＮ規則２を含む。サーバノードは、ＲＡＩセット／ＲＲセット／ＲｎＲセットを、装置、及びアクセスノード１とアクセスノード２に提供し得る。装置、及びアクセスノード１とアクセスノード２は、ＲＡＩセット／ＲＲセット／ＲｎＲセットを保存する。簡単にするためにＲｎＲセットは図３８〜図４０において示されないが、しかしＲＡＩセット／ＲＲセットと同じ動作で適用されることに、留意するべきである。アクセスノード１は、ＲＡＩセット１及びＲＲセット１に関してＲＡＮ情報の最新情報をサポートし得る。アクセスノード２は、ＲＡＩセット２及びＲＲセット２に関してＲＡＮ情報の最新情報をサポートし得る。装置がアクセスノード１の近くに移動する場合に、アクセスノード１は、装置に対するＲＡＮ情報の最新情報、すなわちＲＡＩセット１＝−９０ｄＢｍ、及びＲＲセット１を提供し得る。その一方で、装置がアクセスノード２の近くに移動する場合に、アクセスノード２は、装置に対するＲＡＮ情報の最新情報、すなわちＲＡＩセット２＝｛−９０ｄＢｍ、４ｄＢ｝、及びＲＲセット２を提供し得る。
【００８５】
図３９において、セットベースのＲＡＩ構成／セットベースのＲＲ構成／セットベースのＲｎＲ構成が、サーバノード及びアクセスノードにおいて事前設定される。サーバノードは、ＲＡＩセット、ＲＲセット、及びＲｎＲセットを、アクセスノード１及びアクセスノード２に提供しない。アクセスノード１は、ＲＡＩセット１及びＲＲセット１に関してＲＡＮ情報の最新情報をサポートし得る。アクセスノード２は、ＲＡＩセット２及びＲＲセット２に関してＲＡＮ情報の最新情報をサポートし得る。装置がアクセスノード１の近くに移動する場合に、アクセスノード１は、装置に対するＲＡＮ情報の最新情報、すなわちＲＡＩセット１＝−９０ｄＢｍ、及びＲＲセット１を提供し得る。その一方で、装置がアクセスノード２の近くに移動する場合に、アクセスノード２は、装置に対するＲＡＮ情報の最新情報、すなわちＲＡＩセット２＝｛−９０ｄＢｍ、４ｄＢ｝、及びＲＲセット２を提供し得る。
【００８６】
図４０において、セットベースのＲＡＩ構成／セットベースのＲＲ構成／セットベースのＲｎＲ構成が、アクセスノードにおいて事前設定される。アクセスノード１は、ＲＡＩセット１及びＲＲセット１に関してＲＡＮ情報の最新情報をサポートし得る。アクセスノード２は、ＲＡＩセット２及びＲＲセット２に関してＲＡＮ情報の最新情報をサポートし得る。装置がアクセスノード１の近くに移動する場合に、アクセスノード１は、装置に対するＲＡＮ情報の最新情報、すなわちＲＡＩセット１＝−９０ｄＢｍ、及びＲＲセット１を提供し得る。その一方で、装置がアクセスノード２の近くに移動する場合に、アクセスノード２は、装置に対するＲＡＮ情報の最新情報、すなわちＲＡＩセット２＝｛−９０ｄＢｍ、４ｄＢ｝、及びＲＲセット２を提供し得る。
【００８７】
一実施例において、アクセスノードは、ＲＡＩセット／ＲｎＲセットの数値のみを、装置に提供し得る。もし装置がサービングアクセスノードにより使用されるＲＡＩセット／ＲｎＲセットを知っているならば、装置は、保存されたＲＡＩセット／ＲｎＲセットに基づいて、対応するパラメータに受信された数値を適用することができる。例えば、アクセスノードは、近隣のアクセスノードのサポートされたＲＡＮ情報の構成を知るためのリスト又はテーブルを装置に提供する。
【００８８】
例えば、図４１において、アクセスノード２は、リスト又はテーブルとすることができるであろう、近隣のアクセスノードのサポートされたＲＡＮ情報の構成を提供する。アクセスノード１は、ＲＲセット１及びＲＡＩセット１をサポートする。アクセスノード２は、ＲＲセット２及びＲＡＩセット２をサポートする。装置は、リスト又はテーブルを保存し得る。装置がアクセスノード１の近くに移動する場合に、装置はアクセスノード１における構成を理解するためにリスト又はテーブルを使用することができ、アクセスノード１は、装置に対する更新値、すなわち−９０ｄＢｍを提供し得る。その一方で、装置がアクセスノード２の近くに移動する場合に、アクセスノード２は、装置に対する更新値、すなわち｛−９０ｄＢｍ、４ｄＢ｝を提供し得る。
【００８９】
同じ方法で、アクセスノードは、セットベースのＲｎＲ構成において、装置に対する更新値、すなわち−９０ｄＢｍ又は｛−９０ｄＢｍ、４ｄＢ｝を提供し得る。詳細は、図４２において見られ得る。
【００９０】
提案されたステップを含む、処理の上記のステップは、ハードウェア、ハードウェア装置とハードウェア装置又は電子システム上の読み取り専用ソフトウェアとして備わっているコンピュータ命令及びデータとの組み合わせとして知られているファームウェア、とすることができるであろう手段により実現されることができる。ハードウェアの実例は、超小型回路、マイクロチップ、又はシリコンチップとして知られているアナログ回路、デジタル回路、及び混合回路を含む。電子システムの実例は、システムオンチップ（ＳＯＣ）、システムインパッケージ（ＳｉＰ）、コンピュータオンモジュール（ＣＯＭ）、及び通信装置５０を含む。
【００９１】
結論として、本発明は、特にＲＡＮ支援情報及びＲＡＮ規則に関して、トラフィック経路指定情報の更新に加えて、さらにネットワーク検出及び選択情報を更新することにおける非効率性に対処する。ＵＥ、ｅＮＢ、及びＭＭＥは、頻繁な更新のためのデータ量を減少させるように、アクセス層手順、ハンドオーバ手順、エリア更新手順、アタッチ手順、又は、セル選択手順若しくはセル再選択手順の拡張された信号伝達／メッセージにおけるセットベースのＲＡＮ支援情報及びＲＡＮ規則によって、ＲＡＮ支援情報及びＲＡＮ規則を更新するものとする。
【符号の説明】
【００９２】
５０    通信装置
５００    処理手段
５１０    記憶装置
５１４    プログラムコード
５２０    通信インタフェースユニット
【図１】
2015192453.tif 000003
【図２】
2015192453.tif 000004
【図３】
2015192453.tif 000005
【図４】
2015192453.tif 000006
【図５】
2015192453.tif 000007
【図６】
2015192453.tif 000008
【図７】
2015192453.tif 000009
【図８】
2015192453.tif 000010
【図９】
2015192453.tif 000011
【図１０】
2015192453.tif 000012
【図１１】
2015192453.tif 000013
【図１２】
2015192453.tif 000014
【図１３】
2015192453.tif 000015
【図１４】
2015192453.tif 000016
【図１５】
2015192453.tif 000017
【図１６】
2015192453.tif 000018
【図１７】
2015192453.tif 000019
【図１８】
2015192453.tif 000020
【図１９】
2015192453.tif 000021
【図２０】
2015192453.tif 000022
【図２１】
2015192453.tif 000023
【図２２】
2015192453.tif 000024
【図２３】
2015192453.tif 000025
【図２４】
2015192453.tif 000026
【図２５】
2015192453.tif 000027
【図２６】
2015192453.tif 000028
【図２７】
2015192453.tif 000029
【図２８】
2015192453.tif 000030
【図２９】
2015192453.tif 000031
【図３０】
2015192453.tif 000032
【図３１】
2015192453.tif 000033
【図３２】
2015192453.tif 000034
【図３３】
2015192453.tif 000035
【図３４】
2015192453.tif 000036
【図３５】
2015192453.tif 000037
【図３６】
2015192453.tif 000038
【図３７】
2015192453.tif 000039
【図３８】
2015192453.tif 000040
【図３９】
2015192453.tif 000041
【図４０】
2015192453.tif 000042
【図４１】
2015192453.tif 000043
【図４２】
2015192453.tif 000044
【外国語明細書】
2015192453000001.pdf